(57)【要約】【課題】  内部の空気の流通量を一律にして、表面温度を均一化し得るマットを提供する。【解決手段】  使用者が横たわるためのマット１である。マット１は、クッション体２と、クッション体２の内部に空気を流通させるためのファン装置３とを含んでいる。クッション体２は、第１クッション体４と、第１クッション体４よりも内部の通気抵抗の大きい第２クッション体５とを少なくとも含んでいる。第２クッション体５は、ファン装置３の周囲に配されている。【選択図】  図１
0003221519.tif 000002
【実用新案登録請求の範囲】
【請求項１】
使用者が横たわるためのマットであって、
クッション体と、前記クッション体の内部に空気を流通させるためのファン装置とを含み、
前記クッション体は、第１クッション体と、前記第１クッション体よりも内部の通気抵抗の大きい第２クッション体とを少なくとも含み、
前記第２クッション体は、前記ファン装置の周囲に配される、
マット。
【請求項２】
前記クッション体は、上面から見たときに、１つの端部である第１端部と、前記第１端部の反対側の第２端部とを含み、
前記ファン装置は、前記第２端部の側に設けられる、請求項１に記載のマット。
【請求項３】
前記第２クッション体は、前記第２端部から、前記クッション体の前記第１端部と前記第２端部との間の長さＬの２０％以下の範囲に配される、請求項２に記載のマット。
【請求項４】
前記第１クッション体は、前記第１端部から前記第２端部に向けて直線状に形成された管状空間により、空気の流路を形成している、請求項２又は３に記載のマット。
【請求項５】
前記第２クッション体は、３次元状に絡み合った樹脂繊維の間に、空気の流路を形成している、請求項１ないし４のいずれかに記載のマット。
【請求項６】
前記クッション体は、厚さ方向において、上面から下面まで同一の構造を有する、請求項１ないし５のいずれかに記載のマット。
【請求項７】
前記クッション体は、上面から見たときに、前記第１クッション体と前記第２クッション体との境界が直線状又は屈曲状に形成される、請求項１ないし６のいずれかに記載のマット。
【請求項８】
前記ファン装置は、前記クッション体の幅方向に離間して配された少なくとも２つのファンを含み、
前記第２クッション体は、上面から見たときに、それぞれの前記ファンの周囲に離間して形成される、請求項１ないし６のいずれかに記載のマット。
【請求項９】
前記第２クッション体は、上面から見たときに、多角形状に形成される、請求項８に記載のマット。
【請求項１０】
前記ファンは、前記第２クッション体内に配される、請求項８又は９に記載のマット。
【考案の詳細な説明】
【技術分野】
【０００１】
本考案は、使用者が横たわるためのマットに関する。
【背景技術】
【０００２】
従来、使用者が横たわるためのマットが知られている。例えば、下記特許文献１には、通気性を有するクッション体と、導入口部が形成された袋状カバー体とを備えたマットが提案されている。
【先行技術文献】
【特許文献】
【０００３】
【特許文献１】特開２０１３−１７２８７６号公報
【考案の概要】
【考案が解決しようとする課題】
【０００４】
特許文献１のマットは、空気の流通方向の通気抵抗が小さく、小さいファン装置で効率よく空気を流通させることができるものの、空気の流通量がファン装置に近いところで多く、ファン装置から離れると少なくなり、その結果、マットの表面温度が不均一になるという問題があった。特許文献１のマットでは、導入口部側に取り付けられた帯状のガイド部により、マットの内部の空気の流通量の一律化を試みているが、依然としてマットの表面温度が不均一となり改善が求められていた。
【０００５】
本考案は、以上のような実状に鑑み案出されたもので、内部の空気の流通量を一律にして、表面温度を均一化し得るマットを提供することを主たる目的としている。
【課題を解決するための手段】
【０００６】
本考案は、使用者が横たわるためのマットであって、クッション体と、前記クッション体の内部に空気を流通させるためのファン装置とを含み、前記クッション体は、第１クッション体と、前記第１クッション体よりも内部の通気抵抗の大きい第２クッション体とを少なくとも含み、前記第２クッション体は、前記ファン装置の周囲に配されることを特徴とする。
【０００７】
本考案に係るマットにおいて、前記クッション体は、上面から見たときに、１つの端部である第１端部と、前記第１端部の反対側の第２端部とを含み、前記ファン装置は、前記第２端部の側に設けられるのが望ましい。
【０００８】
本考案に係るマットにおいて、前記第２クッション体は、前記第２端部から、前記クッション体の前記第１端部と前記第２端部との間の長さＬの２０％以下の範囲に配されるのが望ましい。
【０００９】
本考案に係るマットにおいて、前記第１クッション体は、前記第１端部から前記第２端部に向けて直線状に形成された管状空間により、空気の流路を形成しているのが望ましい。
【００１０】
本考案に係るマットにおいて、前記第２クッション体は、３次元状に絡み合った樹脂繊維の間に、空気の流路を形成しているのが望ましい。
【００１１】
本考案に係るマットにおいて、前記クッション体は、厚さ方向において、上面から下面まで同一の構造を有するのが望ましい。
【００１２】
本考案に係るマットにおいて、前記クッション体は、上面から見たときに、前記第１クッション体と前記第２クッション体との境界が直線状又は屈曲状に形成されるのが望ましい。
【００１３】
本考案に係るマットにおいて、前記ファン装置は、前記クッション体の幅方向に離間して配された少なくとも２つのファンを含み、前記第２クッション体は、上面から見たときに、それぞれの前記ファンの周囲に離間して形成されるのが望ましい。
【００１４】
本考案に係るマットにおいて、前記第２クッション体は、上面から見たときに、多角形状に形成されるのが望ましい。
【００１５】
本考案に係るマットにおいて、前記ファンは、前記第２クッション体内に配されるのが望ましい。
【考案の効果】
【００１６】
本考案のマットは、クッション体と、前記クッション体の内部に空気を流通させるためのファン装置とを含んでいる。このようなマットは、クッション体の内部に空気を流通させることができ、マットに横たわる使用者の快適性を向上させることができる。
【００１７】
本考案のマットにおいて、クッション体は、第１クッション体と、前記第１クッション体よりも内部の通気抵抗の大きい第２クッション体とを少なくとも含み、前記第２クッション体は、前記ファン装置の周囲に配されている。このようなマットは、第２クッション体で空気を拡散することができるので、通気抵抗の小さい第１クッション体の内部に空気を一律に流通させることができる。このため、本考案のマットは、内部の空気の流通量が一律になり、表面温度を均一化することができる。
【図面の簡単な説明】
【００１８】
【図１】本考案のマットの一実施形態を示す平面図である。
【図２】第２の実施形態のマットの平面図である。
【図３】第３の実施形態のマットの平面図である。
【考案を実施するための形態】
【００１９】
以下、本考案の実施の一形態が図面に基づき説明される。
図１は、本実施形態のマット１を示す上面図である。図１には、空気の流れが模式的に矢印で示されている。図１に示されるように、マット１は、例えば、使用者が横たわるためのベッド等に好適に用いられる。本実施形態のマット１は、通気性を有するクッション体２と、クッション体２の内部に空気を流通させるためのファン装置３とを含んでいる。このようなマット１は、クッション体２の内部に空気を流通させることができ、マット１に横たわる使用者の快適性を向上させることができる。
【００２０】
本実施形態のクッション体２は、第１クッション体４と、第１クッション体４よりも内部の通気抵抗の大きい第２クッション体５とを少なくとも含んでいる。第２クッション体５は、ファン装置３の周囲に配されるのが望ましい。このようなマット１は、第２クッション体５で空気を拡散することができるので、通気抵抗の小さい第１クッション体４の内部に空気を一律に流通させることができる。このため、本実施形態のマット１は、内部の空気の流通量が一律になり、表面温度を均一化することができる。
【００２１】
より好ましい態様として、クッション体２は、上面から見たときに、１つの端部である第１端部２ａと、第１端部２ａの反対側の第２端部２ｂとを含んでいる。第１端部２ａは、例えば、使用者が横たわったときの頭部側である。第２端部２ｂは、例えば、使用者が横たわったときの脚部側である。
【００２２】
本実施形態の第２クッション体５は、第２端部２ｂの側に設けられている。第２クッション体５は、第２端部２ｂから、好ましくは、クッション体２の第１端部２ａと第２端部２ｂとの間の長さＬの２０％以下の範囲Ｒに配されている。第２クッション体５が長さＬの２０％よりも第１端部２ａの側にまで設けられると、通気抵抗が大きくなり、大型のファン装置３が必要になるおそれがある。
【００２３】
本実施形態のクッション体２は、上面から見たときに、第１クッション体４と第２クッション体５との境界６が直線状に形成されている。このようなクッション体２は、加工が容易であり、製造コストを低減することができる。
【００２４】
クッション体２は、第１クッション体４及び第２クッション体５以外に、例えば、第１クッション体４及び第２クッション体５とは異なる通気抵抗を有する他のクッション体（図示省略）を含んでいてもよい。他のクッション体は、複数の種類であってもよい。このようなクッション体２は、使用者の要望に応じた通気抵抗を有するマット１を提供することができる。
【００２５】
第１クッション体４は、例えば、第１端部２ａから第２端部２ｂに向けて直線状に形成された管状空間（図示省略）により、空気の流路を形成している。第１クッション体４は、第１端部２ａの側に空気の流入口４ａを有するのが望ましい。本実施形態の流入口４ａは、第１端部２ａの全幅にわたって設けられている。第１クッション体４は、例えば、幅方向に空気が流通することが抑制されている。このような第１クッション体４は、第１端部２ａから第２端部２ｂに向けての通気抵抗が小さく、空気を流通させるためのエネルギーを低減することができ、ファン装置３を小型化することができる。
【００２６】
第２クッション体５は、例えば、３次元状に絡み合った樹脂繊維の間に、空気の流路を形成している。第２クッション体５は、少なくとも第１クッション体４とファン装置３との間に配されるのが望ましい。このような第２クッション体５は、ファン装置３により流通される空気を拡散し、第１クッション体４の全域に一律に空気を流通させることができる。
【００２７】
本実施形態のクッション体２は、厚さ方向において、上面から下面まで同一の構造を有している。このようなクッション体２は、厚さ方向にも一律に空気を流通させることができ、マット１の表面温度の均一性をより向上させることができる。また、このようなマット１は、上面と下面との区別がなく、どちらの面にも使用者が横たわって使用することができる。
【００２８】
ファン装置３は、第２端部２ｂの側に設けられるのが望ましい。このようなマット１は、ファン装置３が使用者の頭部から離れているので、使用者が横たわったときにファン装置３の作動音が小さく、快適性を向上させることができる。
【００２９】
ファン装置３は、少なくとも１つ、本実施形態では、クッション体２の幅方向に離間して配された２つのファン３Ａを含んでいる。ファン３Ａは、例えば、クッション体２の内部の空気を吸引している。このようなファン装置３は、幅が大きいマット１であっても、幅方向に一律に空気を流通させることができる。
【００３０】
ファン３Ａは、２つに限定されるものではなく、例えば、１つであってもよく、また、３つ以上であってもよい。ファン３Ａは、例えば、クッション体２の内部に空気を供給するものであってもよい。このようなファン３Ａは、マット１の大きさや用途に応じて適宜変更することができる。
【００３１】
ファン３Ａは、第２クッション体５内に配されるのが望ましい。このようなファン３Ａは、第２クッション体５により効率的に空気が拡散され、マット１の空気の流通量の均一性をより向上させることができる。
【００３２】
ファン装置３は、第２端部２ｂの側に空気の流出口３ａを有するのが望ましい。流出口３ａは、例えば、クッション体２の幅方向の側面の側に設けられてもよい。このようなファン装置３は、クッション体２の内部の空気をスムーズに流出させることができ、効率よく空気を流通させることができる。
【００３３】
本実施形態のマット１は、ヒーター７を含んでいる。ヒーター７は、例えば、第１クッション体４の厚さ方向の一方の面側に配されている。このようなマット１は、暑い環境下では、ヒーター７の配されていない面を上面にし、寒い環境下では、ヒーター７の配されている面を上面にすることで、いつでも快適に使用することができる。
【００３４】
ヒーター７は、例えば、クッション体２の厚さ方向の中間位置に埋設されていてもよい。ヒーター７は、例えば、流入口４ａに設けられて流入する空気を暖めるようにしてもよい。この場合、マット１は、上面と下面との区別がなく、ヒーター７の通電の有無により、いつでも快適に使用することができる。
【００３５】
ヒーター７は、例えば、第１クッション体４から第２クッション体５にかけて設けられていてもよい。この場合、マット１は、より広い範囲がヒーター７により暖められるので、寒い環境下でもより快適に使用することができる。
【００３６】
図２は、第２の実施形態のマット１０の平面図である。上述の実施形態と同一の機能を有する構成要素は、同一の符号が付され、その説明が省略される。図２には、空気の流れが模式的に矢印で示されている。図２に示されるように、第２の実施形態のマット１０は、クッション体１１と、ファン装置３とを含んでいる。このようなマット１０は、上述のマット１と同様、クッション体１１の内部に空気を流通させることができ、マット１０に横たわる使用者の快適性を向上させることができる。
【００３７】
第２の実施形態のクッション体１１は、第１クッション体１２と、第１クッション体１２よりも内部の通気抵抗の大きい第２クッション体１３とを少なくとも含んでいる。このようなマット１０は、上述のマット１と同様、第２クッション体１３で空気を拡散することができるので、通気抵抗の小さい第１クッション体１２の内部に空気を一律に流通させることができる。
【００３８】
第２の実施形態のクッション体１１は、上述のクッション体２と同様、上面から見たときに、使用者が横たわったときの頭部側である第１端部１１ａと、第１端部１１ａの反対側の第２端部１１ｂとを含んでいる。
【００３９】
第２の実施形態の第２クッション体１３及びファン装置３は、上述の実施形態と同様、第２端部１１ｂの側に設けられている。第２クッション体１３は、上面から見たときに、上述の第２クッション体１３と同様、第２端部１１ｂから、好ましくは、第１端部１１ａと第２端部１１ｂとの間の長さＬの２０％以下の範囲Ｒに配されている。
【００４０】
第２の本実施形態のクッション体１１は、上面から見たときに、第１クッション体１２と第２クッション体１３との境界１４が屈曲状に形成されている。このようなクッション体１１は、ファン３Ａから第１クッション体１２までの距離が均整化され、第１クッション体１２の空気の流通量の均一性をより向上させることができる。
【００４１】
なお、図示は省略されるが、第２の実施形態のマット１０も、上述のマット１と同様、ヒーター７が設けられていてもよい。
【００４２】
図３は、第３の実施形態のマット２０の平面図である。上述の実施形態と同一の機能を有する構成要素は、同一の符号が付され、その説明が省略される。図３には、空気の流れが模式的に矢印で示されている。図３に示されるように、第３の実施形態のマット２０は、クッション体２１と、ファン装置３とを含んでいる。このようなマット２０は、上述のマット１と同様、クッション体２１の内部に空気を流通させることができ、マット２０に横たわる使用者の快適性を向上させることができる。
【００４３】
第３の実施形態のクッション体２１は、第１クッション体２２と、第１クッション体２２よりも内部の通気抵抗の大きい第２クッション体２３とを少なくとも含んでいる。このようなマット２０は、上述のマット１と同様、第２クッション体２３で空気を拡散することができるので、通気抵抗の小さい第１クッション体２２の内部に空気を一律に流通させることができる。
【００４４】
第３の実施形態のクッション体２１は、上述のクッション体２と同様、上面から見たときに、使用者が横たわったときの頭部側である第１端部２１ａと、第１端部２１ａの反対側の第２端部２１ｂとを含んでいる。
【００４５】
第３の実施形態の第２クッション体２３及びファン装置３は、上述の実施形態と同様、第２端部２１ｂの側に設けられている。第２クッション体２３は、上面から見たときに、上述の第２クッション体２３と同様、第２端部２１ｂから、好ましくは、第１端部２１ａと第２端部２１ｂとの間の長さＬの２０％以下の範囲Ｒに配されている。
【００４６】
第３の実施形態のファン装置３は、クッション体２の幅方向に離間して配された少なくとも２つのファン３Ａを含んでいる。このようなファン装置３は、クッション体２１の内部に、マット２０の幅方向に均一に空気を流通させることができる。
【００４７】
第２クッション体２３は、上面から見たときに、それぞれのファン３Ａの周囲に離間して形成されるのが望ましい。このような第２クッション体２３は、ファン３Ａによる局所的な吸引を緩和し、空気を拡散することができる。
【００４８】
第２クッション体２３は、上面から見たときに、例えば、多角形状に形成されている。第３の実施形態の第２クッション体２３は、矩形状に形成されている。このような第２クッション体２３は、加工が容易であり、製造コストを低減することができる。
【００４９】
第２クッション体２３は、例えば、円形状又は楕円形状に形成されていてもよい。この場合、クッション体２１は、ファン３Ａから第１クッション体２２までの距離を均整化させることができ、第１クッション体２２の空気の流通量の均一性をより向上させることができる。
【００５０】
なお、図示は省略されるが、第３の実施形態のマット２０も、上述のマット１と同様、ヒーター７が設けられていてもよい。
【００５１】
以上、本考案の特に好ましい実施形態について詳述したが、本考案は図示の実施形態に限定されることなく、種々の態様に変形して実施し得る。
【符号の説明】
【００５２】
１    マット
２    クッション体
３    ファン装置
４    第１クッション体
５    第２クッション体
【図１】
0003221519.tif 000003
【図２】
0003221519.tif 000004
【図３】
0003221519.tif 000005